(57)【要約】      （修正有）【課題】使用する人の手のサイズや利き手の左右にかかわらず使用でき、筆記具を把持する持ち方を正しい持ち方に矯正するための十分な機能を有し、かつ筆記具への着脱の簡便な筆記具持ち方矯正具を提供する。【解決手段】筆記具持ち方矯正具１は、筆記具４の胴体部４ｂへ抱え状に装着可能な断面Ｃリング状の筆記具把持部３を有し、この筆記具把持部３の長手方向の中央部の外表面３ａにその長手方向に沿って、人差し指７を沿わせて支えるために十分な大きさであり、かつ、親指６と人差し指７で挟み持ちするための薄板状突起の指間挟持部２を設けた筆記具持ち方矯正具１である。【選択図】図１
0003126015.tif 000002
【実用新案登録請求の範囲】
【請求項１】
筆記具４の胴体部４ｂへ抱え状に装着可能な断面Ｃリング状の筆記具把持部３を有し、人差し指７を長手方向に沿わせて支持する十分な大きさを有し、かつ。親指６と人差し指７で挟持する薄板状突起の指間挟持部２を筆記具把持部３の長手方向の中央部の外表面３ａに立設して有することを特徴とする筆記具持ち方矯正具１。
【考案の詳細な説明】
【技術分野】
【０００１】
本考案は、筆記具４を適正な握り持ち可能とすることで、使用する際の筆記具４の誤った持ち方を正しい持ち方に矯正するための筆記具持ち方矯正具１に関する。
【背景技術】
【０００２】
筆記具を正しく把持せずにノートに文字を書くと、滑らかに指を動かせないため上手に字が書けない上に、筆記する速度が落ちたり、あるいは、疲れやすいなど問題が生じることが多い。しかしながら、近年は学童の多くが筆記具を正しく把持できない状況にある。例えば、中学生になっても筆記具の正しい握り方が満足にできない生徒が殆どで、一クラス３５人の生徒のうち正しく握れる生徒は５人に満たない状況である。
【０００３】
このため、従来から筆記具の持ち方を矯正する器具類として、様々なものが考案され、製品化されてきている。
【０００４】
筆記具の正しい持ち方、例えば鉛筆の正しい持ち方は、一般に図５に示すような状態となることが適切とされている。このとき、鉛筆を親指、人差し指、中指で把持しており、矯正具は筆記具に対するそれぞれの指の位置関係を適正に位置決めすることが主な目的となる。
【０００５】
このような矯正具として、親指を載せる台を筆記具に設置するようにしたもの（例えば、特許文献１参照。）や、親指と人差し指の間に仕切りを筆記具に設置するもの（例えば、特許文献２、特許文献３参照。）や、親指と人差し指と中指の３本の指の位置を限定させるようなグリップ状のもの（例えば、特許文献４、特許文献５、特許文献６参照。）や、矯正具を人差し指と中指の付け根に挟んで人差し指と中指、人差し指と親指の位置関係を整えるもの（例えば、特許文献７参照。）などがある。
【０００６】
しかしながら、特許文献１では、親指が人差し指よりも先に出てしまうような持ち方のタイプなどで、不十分である場合がある。特許文献２のものは握った親指あるいは人差し指を上部で拘束しているので、さらに指が逆に上部から規制されすぎ万人に向かない問題がある。特許文献３では人差し指と親指で挟む突起が小さく、人差し指と親指の間の空間の適正な形状を保持するためには不十分と思われる。
【０００７】
特許文献４、特許文献５、特許文献６のような筆記具の挿入孔を持つ円筒のグリップ状のものは、筆記具への着脱が困難であり、筆記具の太さにより使用できない場合がある。特許文献２についても、ホルダー本体が長いため、着脱の簡便性に欠ける。さらに、特許文献５、特許文献７においては、手のサイズによって使用できない、あるいは違和感が生じる場合がある。
【０００８】
【特許文献１】特開平１１−７２３６号公報
【特許文献２】特開平５−８５６８８号公報
【特許文献３】特開２００６−５６０３５号公報
【特許文献４】特開平８−２２０９８６号公報
【特許文献５】特開２０００−２０３１８８号公報
【特許文献６】特開２００２−２５４８８７号公報
【特許文献７】特開２００５−５５９１８号公報
【考案の開示】
【考案が解決しようとする課題】
【０００９】
本考案が解決しようとする課題は、使用する人の手のサイズや利き手の左右にかかわらず、筆記具例えば鉛筆やシャープペンシルやボールペンの持ち方を矯正するために十分な機能を有し、かつ着脱の簡便な筆記具持ち方矯正具を提供することにある。
【課題を解決するための手段】
【００１０】
上記の課題を解決するための本考案の手段は、筆記具４の胴体部４ｂへ抱え状に装着可能な断面Ｃリング状の筆記具把持部３を有し、人差し指７を長手方向に沿わせて支持する十分な大きさを有し、かつ。親指６と人差し指７で挟持する薄板状突起の指間挟持部２を筆記具把持部３の長手方向の中央部の外表面３ａに立設して有することを特徴とする筆記具持ち方矯正具１である。
【００１１】
筆記具持ち方矯正具１を使用して筆記具４、例えば図１に示す鉛筆４ａ、を正しく把持するためには、人差し指７を指間挟持部２に沿わせて、親指６で指間挟持部２の反対側から挟み持ち、中指８を筆記具４に添えて支え、他の指は自然に握りこむ。これにより、手５の全体による筆記具４の持ち方が適正に保たれる。
【００１２】
筆記具持ち方矯正具１の材質は硬質の樹脂素材からなるが、筆記具把持部３が筆記具４に抱え状に装着可能にする程度の弾性があることが望ましい。硬質の他に金属や、弾性素材（ゴム、シリコンなど）なども考えられる。
筆記具持ち方矯正具１の指間挟持部２は、人差し指７を沿わせて支えるために十分な大きさであればよく、形状は図に示すような楕円形の外に長方形や台形などでも構わない。指間挟持部２の厚さは指に違和感を感じさせない程度の１ｍｍ前後の程度が望ましい。
【００１３】
筆記具持ち方矯正具１の外表面には滑り止め加工を施してもよい。
【考案の効果】
【００１４】
本考案の効果は、筆記具持ち方矯正具１を筆記具４の胴体部４ｂの適正な位置に設置することにより、筆記具４を把持する位置を正しく保つことができる。筆記具持ち方矯正具１を使用して筆記具４を持つ際に、人差し指７を指間挟持部２に沿わせて、親指６で指間挟持部２の反対側から挟み持つことにより、自然に人差し指７と親指６の間の空間形状を適正に形成することができ、その結果、全体として正しい持ち方となる。
【００１５】
筆記具持ち方矯正具１は、指の位置を拘束するものではないので、手のサイズにかかわらず違和感無く使用でき、また、左右対称であるので利き手がどちらでも使用できる。筆記具４の胴体部４ｂへ抱え状に装着可能な断面Ｃリング状の筒状の筆記具把持部３は、筆記具４例えば鉛筆４ａへの着脱が簡便であり、また筆記具把持部３は多少弾性を有するので筆記具４の太さが多少変化しても容易に装着できる。
【考案を実施するための最良の形態】
【００１６】
以下、本考案の実施の形態を添付の図面を参照して説明する。ところで、図１は本考案に係る筆記具持ち方矯正具１を筆記具４として鉛筆４ａに装着した状態を示す側面図である。図２は本考案に係る筆記具持ち方矯正具１を鉛筆４ａに装着した状態を示す鉛筆の芯４ｃの軸方向から見た正面図で、この図２では、鉛筆４ａの六角形の軸の把持する角度を１５°回転して把持している場合である。図３は本考案に係る筆記具持ち方矯正具１を筆記具４すなわち鉛筆４ａの軸の一部に装着した状態の、図２の下面側から見た、下面図である。図４は本考案に係る筆記具持ち方矯正具１を装着した筆記具４である鉛筆４ａを右手に正しく把持した様子を示した図である。図５は手５で筆記具４である鉛筆４ａを正しく持つ持ち方を示す図である。
【００１７】
図１に示すように、この筆記具持ち方矯正具１は硬質の合成樹脂の約１ｍｍの厚さの板材から成形した断面Ｃリング状の筒状の筆記具把持部３を有し、この筆記具把持部３の長手方向の中央部の外表面３ａに、筆記具４すなわち鉛筆４ａの長手方向に人差し指７を沿わせて支えるために十分な大きさの例えば高さ約２．０ｃｍからなり、さらに親指６と人差し指７で挟み持ちするための楕円形の薄板状突起からなる指間挟持部２を有する。この指間挟持部２は筆記具把持部３と一体成形して成形したもの、あるいは、筆記具把持部３に熱融着で接合したものからなっている。
【００１８】
この筆記具把持部３は断面Ｃリング状の構造は図２に示すとおりで、図２における左右の筆記具把持部３の下端部に延びる長さは、素材である硬質の合成樹脂の剛性に抗して左右に拡げて筆記具４を挿着しやすいような適宜な長さからなるものとして、筆記具４例えば鉛筆４ａの胴体部４ｂへ抱え状態で装着できるものとしている。
【００１９】
この筆記具持ち方矯正具１の使用方法は、図４に示すように、筆記具４である鉛筆４ａに筆記具持ち方矯正具１を握ったときに、鉛筆の芯４ｃの先端が紙面に着き、握った手５の小指側のたなごころの端部が紙面に着く状態とし、鉛筆４ａの軸が人差し指４の手のひらの付け根の側部に当接状態とする。この状態で、親指６を筆記具把持部３の側部と指間把持部２に当接する。一方、中指８の爪の生え際の側部に鉛筆４ａを載せ、人差し指７を鉛筆４ａの軸上に載せて、中指８と人差し指７間で鉛筆４ａの軸を軽く挟持する。さらに、人差し指７を指間把持部２に当接状態とし、親指６と人差し指７間で指間把持部２を挟持する。このように、筆記具持ち方矯正具１を挿着した鉛筆４ａを筆記のために手で握った際、常に親指６と人差し指７の握り位置が指間把持部２で位置決めされ、親指６と人差し指７の握り位置が規制されるので、筆記具４を正しく把持した状態となる。この筆記具持ち方矯正具１は、軽量で、小さくて場所をとらないので、筆箱などの中に鉛筆４ａに挿着した状態で収納でき、常に使用状態とされているので、自然と使用されて、図５に示す筆記具４の正しい把持の仕方が身に着くこととなる。
【図面の簡単な説明】
【００２０】
【図１】本考案に係る筆記具持ち方矯正具１を筆記具４に装着した状態を示す側面図である。
【図２】本考案に係る筆記具持ち方矯正具１を筆記具４に装着した状態を示す正面図である。
【図３】本考案に係る筆記具持ち方矯正具１を筆記具４に装着した状態を示す下面図である。
【図４】本考案に係る筆記具持ち方矯正具１を装着した筆記具４を右手に正しく把持した様子を示した図である。
【図５】筆記具の正しい持ち方を示す図である。
【符号の説明】
【００２１】
１  筆記具持ち方矯正具
２  指間挟持部
３  筆記具把持部
３ａ  中央部の外表面
４  筆記具
４ａ  鉛筆
４ｂ  胴体部
４ｃ  鉛筆の芯
５  手（右）
６  親指
７  人差し指
８  中指
【図１】
0003126015.tif 000003
【図２】
0003126015.tif 000004
【図３】
0003126015.tif 000005
【図４】
0003126015.tif 000006
【図５】
0003126015.tif 000007
【手続補正書】
【提出日】平成18年8月16日(2006.8.16)
【手続補正１】
【補正対象書類名】実用新案登録請求の範囲
【補正対象項目名】全文
【補正方法】変更
【補正の内容】
【実用新案登録請求の範囲】
【請求項１】
筆記具４の胴体部４ｂへ抱え状に装着可能な断面Ｃリング状の筆記具把持部３を有し、人差し指７を長手方向に沿わせて支持する十分な大きさを有し、かつ、親指６と人差し指７で挟持する薄板状突起の指間挟持部２を筆記具把持部３の長手方向の中央部の外表面３ａに立設して有することを特徴とする筆記具持ち方矯正具１。